(57)【要約】【課題】  通信信号の受信レベルの改善と処理回路の機能低下の低減とを両立させる。【解決手段】  通信装置１では、通信信号の最新の受信レベルが第１基準レベルＬＡを超える場合、初期周波数Ｆ０のクロック信号が生成される。初期周波数Ｆ０のクロック信号の生成中であって、通信信号の最新の受信レベルが第１基準レベル以下である場合、生成されるクロック信号のクロック周波数が通信信号と干渉しない非干渉周波数Ｆ１に変更される。また非干渉周波数Ｆ１のクロック信号の生成中であって、通信信号の最新の受信レベルが第１基準レベルＬＡ未満である第２基準レベルＬＢ以下である場合、生成されるクロック信号のクロック周波数が初期周波数Ｆ０に変更される。【選択図】      図１
2014045279.tif 000002
【特許請求の範囲】
【請求項１】
クロック信号を生成し、かつ、生成する前記クロック信号のクロック周波数を変更可能なクロック信号生成部と、
前記クロック信号生成部によって生成されたクロック信号が入力され、入力されたクロック信号に基づいて動作する１以上の処理回路と、
無線通信の通信信号を受信する受信部と、
前記受信部によって受信された通信信号の受信レベルを測定するための受信レベル測定部と、
前記受信レベル測定部によって測定された最新の受信レベルに基づき、前記クロック信号生成部を制御するための制御部であって、
前記最新の受信レベルが予め定める第１基準レベルを超える場合、予め定める初期周波数のクロック信号を前記クロック信号生成部に生成させ、
前記初期周波数のクロック信号の生成中であって、前記最新の受信レベルが前記第１基準レベル以下である場合、前記クロック信号生成部が生成するクロック信号のクロック周波数が、前記初期周波数から前記通信信号と干渉しない周波数に変更され、
変更後の周波数のクロック信号の生成中であって、前記最新の受信レベルが前記第１基準レベル未満である第２基準レベル以下である場合、前記クロック信号生成部が生成するクロック信号のクロック周波数が、前記変更後の周波数から前記初期周波数に変更されるように制御する制御部とを含むことを特徴とする通信装置。
【請求項２】
前記制御部は、前記処理回路が動作中である場合、前記クロック信号生成部におけるクロック周波数の変更を中止することを特徴とする請求項１に記載の通信装置。
【請求項３】
前記処理回路を複数備え、
前記制御部は、前記初期周波数のクロック信号の生成中であって、前記最新の受信レベルが前記第１基準レベル以下である場合、複数の前記処理回路毎に、前記クロック信号生成部から各処理回路に与えられるクロック信号のクロック周波数が、前記初期周波数から前記通信信号と干渉しない周波数であって、前記各処理回路に応じた周波数にそれぞれ変更されるように、前記クロック信号生成部を制御することを特徴とする請求項１または２に記載の通信装置。
【請求項４】
前記受信部は、予め定める複数のチャンネルの通信信号を選択的に受信可能であって、前記複数のチャンネルのうちのいずれか１つのチャンネルを選局して、選局されたチャンネルの通信信号を受信し、
前記制御部は、前記初期周波数のクロック信号の生成中であって、前記選局されたチャンネルの通信信号の最新の受信レベルが前記第１基準レベル以下である場合、前記クロック信号生成部が生成するクロック周波数が、前記初期周波数から前記通信信号と干渉しない周波数であって、前記選局されたチャンネルの周波数に応じた周波数に変更されるように、前記クロック信号生成部を制御することを特徴とする請求項１〜３のいずれか１つに記載の通信装置。
【発明の詳細な説明】
【技術分野】
【０００１】
本発明は、無線通信の通信信号を受信する通信装置に関する。
【背景技術】
【０００２】
近年、携帯電話端末機やスマートフォンのような無線通信機能を有する通信装置は、テレビ放送の放送信号、ラジオ放送の放送信号、データ通信の通信信号、および音声通話の通信信号など各種の通信信号を、無線通信によって送受信する。従来技術の通信回路は、装置内部で各種の処理を行うために、所謂デバイスである１以上の処理回路を備えている。従来技術の通信装置内の処理回路には、該通信装置内に備えられるクロック信号発生部から予め定める周波数のクロック信号が与えられる。前記処理回路は、与えられたクロック信号に基づいて動作する。
【０００３】
各種処理回路を備えた通信装置に関する従来技術として、以下の特許文献１が開示される。特許文献１のデジタル放送受信装置は、クロック信号の発生手段と、クロック信号の入力により動作する処理回路と、放送電波を選局かつ受信する受信選局手段とを含む。受信選局手段における放送電波の受信レベルが所定の基準レベル未満になった時点で、クロック信号のクロック周波数が、受信電波とクロック信号との干渉を改善可能な周波数に変更される。またクロック周波数の変更後、前述の基準レベルに所定レベルを加算したレベルを放送電波の受信レベルが超過した時点で、クロック周波数が周波数変更前の周波数に戻される。この結果、処理回路の性能低下を最小限にしつつ、クロック信号と放送電波との干渉に起因する受信障害が改善される。
【先行技術文献】
【特許文献】
【０００４】
【特許文献１】特開２００７−２３５８４０号公報
【発明の概要】
【発明が解決しようとする課題】
【０００５】
上述した従来技術の通信装置は、近年、小型化される傾向にある。通信装置が小型化されるほど、通信装置内に備えられる各種デバイスなどの処理回路の間隔が非常に狭くなる傾向にある。通信装置内の各種処理回路の間隔が狭くなるほど、受信すべき通信信号と各種の処理回路に供給されるクロック信号との間で干渉が発生して、通信信号の受信レベルが低下し、通信信号の受信障害となることがある。
【０００６】
クロック信号の干渉に起因する通信信号の受信レベルの悪化を防止するための第１の手法としては、従来技術の通信装置の設計段階で、クロック信号のクロック周波数を、通信信号と干渉しない程度の低い周波数に設定する手法が考えられる。しかしながら、クロック周波数の高低は処理回路の処理能力の増減に関わるため、クロック周波数を低下させる第１の手法では、クロック信号に基づいて動作する処理回路の機能を、不必要に低下させてしまう可能性がある。
【０００７】
クロック信号の干渉に起因する通信信号の受信レベルの悪化を防止するための第２の手法として、特許文献１に示したように、通信信号の受信レベルの低下時に、クロック信号による受信電波への干渉を改善可能な周波数になるようにクロック信号のクロック周波数を変更し、受信レベルの改善後に、クロック周波数を変更前の周波数に戻す手順が考えられる。しかしながら、トンネルや地下のような通信信号の受信レベルが悪化し易い受信環境下に通信装置が持込まれた状況下では、クロック周波数に関わりなく通信信号の受信レベルが悪化する。ゆえに上記の状況下では、第２の手法を用いてクロック周波数を変更しても、通信信号の受信レベルは改善し難い。
【０００８】
また、上述したような通信信号の受信レベルが悪化し易い受信環境に持込まれた従来技術の通信装置を受信レベルが改善する受信環境下に戻すには、時間を要することが多い。ゆえに、第２の手法のように受信レベルの低下改善に応じてクロック周波数を変更復帰するならば、クロック周波数を受信レベル低下前の周波数に戻すまでに時間が掛かる。ゆえに、受信環境の悪化に起因して受信レベルが低下する上述の状況下で第２の手法が用いられるならば、処理回路の機能低下が不必要に継続してしまう恐れがある。
【０００９】
さらにまた、上述の第２の手法では、周波数変更前のクロック信号が与えられた処理回路よりも、周波数変更後のクロック信号が与えられた処理回路のほうが、処理時間が増加することがある。上述したような通信信号の受信レベルが悪化し易い受信環境に従来技術の通信装置が持込まれた状況下で第２の手法が用いられる場合、通信信号の受信レベルが改善しない間は変更後の周波数のクロック信号が処理回路に与えられるので、処理回路の処理時間が不必要に増大してしまうことがある。また、上記の場合、クロック周波数変更に起因する処理回路の機能低下によって、処理回路の消費電力が増加してしまうことがある。これらの結果、上記の場合、通信信号の受信レベルが改善しないまま処理回路の処理時間および消費電力だけが増大するため、従来技術の通信装置の使い勝手が悪化する。
【００１０】
本発明の目的は、通信信号の受信レベルの改善と処理回路の不必要な機能低下の防止とを両立可能な通信装置を提供することである。
【課題を解決するための手段】
【００１１】
本発明は、クロック信号を生成し、かつ、生成する前記クロック信号のクロック周波数を変更可能なクロック信号生成部と、
前記クロック信号生成部によって生成されたクロック信号が入力され、入力されたクロック信号に基づいて動作する１以上の処理回路と、
無線通信の通信信号を受信する受信部と、
前記受信部によって受信された通信信号の受信レベルを測定するための受信レベル測定部と、
前記受信レベル測定部によって測定された最新の受信レベルに基づき、前記クロック信号生成部を制御するための制御部であって、
前記最新の受信レベルが予め定める第１基準レベルを超える場合、予め定める初期周波数のクロック信号を前記クロック信号生成部に生成させ、
前記初期周波数のクロック信号の生成中であって、前記最新の受信レベルが前記第１基準レベル以下である場合、前記クロック信号生成部が生成するクロック信号のクロック周波数が、前記初期周波数から前記通信信号と干渉しない周波数に変更され、
変更後の周波数のクロック信号の生成中であって、前記最新の受信レベルが前記第１基準レベル未満である第２基準レベル以下である場合、前記クロック信号生成部が生成するクロック信号のクロック周波数が、前記変更後の周波数から前記初期周波数に変更されるように制御する制御部とを含むことを特徴とする通信装置である。
【００１２】
また本発明は、前記制御部は、前記処理回路が動作中である場合、前記クロック信号生成部におけるクロック周波数の変更を中止することを特徴とする。
【００１３】
さらにまた本発明は、前記処理回路を複数備え、
前記制御部は、前記初期周波数のクロック信号の生成中であって、前記最新の受信レベルが前記第１基準レベル以下である場合、複数の前記処理回路毎に、前記クロック信号生成部から各処理回路に与えられるクロック信号のクロック周波数が、前記初期周波数から前記通信信号と干渉しない周波数であって、前記各処理回路に応じた周波数にそれぞれ変更されるように、前記クロック信号生成部を制御することを特徴とする。
【００１４】
また本発明は、前記受信部は、予め定める複数のチャンネルの通信信号を選択的に受信可能であって、前記複数のチャンネルのうちのいずれか１つのチャンネルを選局して、選局されたチャンネルの通信信号を受信し、
前記制御部は、前記初期周波数のクロック信号の生成中であって、前記選局されたチャンネルの通信信号の最新の受信レベルが前記第１基準レベル以下である場合、前記クロック信号生成部が生成するクロック周波数が、前記初期周波数から前記通信信号と干渉しない周波数であって、前記選局されたチャンネルの周波数に応じた周波数に変更されるように、前記クロック信号生成部を制御することを特徴とする。
【発明の効果】
【００１５】
本発明によれば、通信装置は、クロック信号生成部が生成したクロック信号に基づいて１以上の処理回路が動作し、並行して、受信部が無線通信の通信信号を受信している。クロック信号生成部のクロック信号のクロック周波数は可変である。受信部による無線通信の通信信号の受信レベルに応じて、処理回路に与えられるべきクロック信号のクロック周波数が変更される。通信信号の受信レベルが所定の第１基準レベルを超過するレベルから第１基準レベル以下に低下した時点で、初期周波数から通信信号と干渉しない周波数に、クロック周波数が変更される。この結果、本発明の通信装置は、クロック信号の干渉に起因する通信信号の受信レベルの低下を、回避することができる。
【００１６】
本発明の通信装置において、クロック周波数変更後に、通信信号の受信レベルが第１基準レベル以下のレベルから所定の第２基準レベル以下のレベルまで低下した時点に、クロック信号の周波数が初期周波数に戻される。前記第２基準レベルは、第１基準レベル未満のレベルである。
【００１７】
これらによって、本発明の通信装置は、クロック信号の干渉に起因する通信信号の受信レベルの低減時には、受信レベルを改善可能であり、かつ、クロック信号の干渉以外の理由に起因する通信信号の受信レベル低減時には、処理回路の機能低減を最低限に抑えることができる。
【００１８】
またこれらによって、本発明の通信装置は、クロック信号の干渉以外の理由に起因する通信信号の受信レベル低減時に処理回路の機能低減を最低限に抑えることができるので、処理回路の不必要な性能低下が防止される。したがって、本発明の通信装置は、処理回路の性能低下に伴う消費電力の増加をも防止することが可能となる。
【００１９】
また本発明によれば、本発明の通信装置において、処理回路が動作中である場合、クロック信号生成部におけるクロック周波数の変更が中止される。これによって、本発明の通信装置は、無線通信および処理回路による動作について、利用者がより使い易くなるような、より細かい制御が可能になる。
【００２０】
さらにまた本発明によれば、本発明の通信装置において、処理回路が複数あるならば、初期周波数のクロック信号の生成中であって、最新の受信レベルが前記第１基準レベル以下である場合、複数の処理回路毎に、各処理回路に与えられるクロック信号のクロック周波数が、初期周波数から通信信号と干渉しない周波数であって各処理回路に応じた周波数に、それぞれ変更される。これによって、複数の処理回路用のクロック信号のうちの少なくとも１つのクロック信号の干渉に起因して受信レベルが低減する状況下において、本発明の通信装置は、複数の処理回路用のクロック信号の干渉をより確実に解消して、受信レベルをより確実に改善することができる。
【００２１】
また本発明によれば、本発明の通信装置において、受信部が予め定める複数のチャンネルの通信信号を選択的に受信可能であるならば、初期周波数のクロック信号の生成中であって選局中のチャンネルの通信信号の最新の受信レベルが第１基準レベル以下である場合、クロック周波数が、初期周波数から選局中のチャンネルの通信信号と干渉しない周波数に変更される。この結果、選択中のチャンネルの通信信号への干渉を回避可能な適切な周波数のクロック信号が、各処理回路にそれぞれ与えられる。これによって、本発明の通信装置は、クロック信号の干渉に起因する通信信号の受信レベルを、チャンネル毎に、より確実に改善することができる。
【図面の簡単な説明】
【００２２】
【図１】本発明の実施の一形態である通信装置１の構成を示すブロック図である。
【図２】本実施形態の通信装置１における通信信号の受信レベルとクロック信号のクロック周波数の変換タイミングとの関係を示す図である。
【図３】本実施形態の通信装置１におけるクロック信号の周波数制御を説明するためのフローチャートである。
【発明を実施するための形態】
【００２３】
図１は、本発明の実施の一形態である通信装置１の構成を示すブロック図である。
本実施形態の通信装置１は、バスライン２を介して互いに信号を送受信可能に接続されるクロック信号生成部３、１以上の処理回路４、受信部５、受信レベル測定部６、および制御部７を含む。図１の例では、通信装置１は、記憶部８をさらに含む。
【００２４】
クロック信号生成部３は、所定のクロック周波数で周期的に変動するクロック信号を生成する。また、クロック信号生成部３は、生成するクロック信号のクロック周波数が可変である。クロック信号は、１以上の処理回路４にそれぞれ入力される。各処理回路４は、入力されたクロック信号に基づいて動作し、各処理回路４に割当てられた処理を実行する。受信部５は、無線通信の通信信号を受信する。受信レベル測定部６は、受信された通信信号の受信レベルを測定する。
【００２５】
制御部７は、受信レベル測定部６によって測定された最新の受信レベルに基づいて、クロック信号生成部３を制御する。記憶部８は、制御部７の処理動作に係る各種のプログラムやデータを記憶している。また、制御部７が処理回路４の制御をもさらに行い、かつ、記憶部８が、処理回路４の動作に係る各種のプログラムやデータをさらに記憶していてもよい。
【００２６】
制御部７は、詳しくは、最新の受信レベルが予め定める第１基準レベルＬＡを超える場合、予め定める初期周波数Ｆ０のクロック信号をクロック信号生成部３に生成させる。また制御部７は、初期周波数Ｆ０のクロック信号の生成中であって最新の受信レベルが第１基準レベルＬＡ以下である場合、クロック信号生成部３が生成するクロック信号のクロック周波数を、初期周波数Ｆ０から通信信号と干渉しない非干渉周波数Ｆ１に変更させる。さらにまた制御部７は、非干渉周波数Ｆ１のクロック信号の生成中であって最新の受信レベルが所定の第２基準レベルＬＢ以下である場合、クロック信号生成部３が生成するクロック信号のクロック周波数を、非干渉周波数Ｆ１から初期周波数Ｆ０に変更させる。ここで、第２基準レベルＬＢは、第１基準レベルＬＡ未満の受信レベルである。
【００２７】
同様に制御部７は、非干渉周波数Ｆ１のクロック信号の生成中であって最新の受信レベルが所定の第３基準レベルＬＣを超えている場合も、クロック信号生成部３が生成するクロック信号のクロック周波数を、非干渉周波数Ｆ１から初期周波数Ｆ０に変更させる。ここで、第３基準レベルＬＣは、第１基準レベルＬＡを超過する受信レベルである。
【００２８】
以上の処理によって、本実施形態の通信装置１において、受信部５を用いる無線通信の通信信号の受信レベルに応じて、処理回路４に与えられるべきクロック信号のクロック周波数が変更される。
【００２９】
本実施形態の通信装置１において、上述したように、クロック周波数は、通信信号の受信レベルが所定の第１基準レベルＬＡを超過するレベルから第１基準レベルＬＡ以下に低下した時点で、通信信号と干渉しない非干渉周波数Ｆ１に変更される。この結果、本実施形態の通信装置１は、クロック信号に応答して動作中の処理回路４に起因するノイズが通信信号に干渉して通信信号の受信レベルを低下させる状態を、回避することができる。すなわち、本実施形態の通信装置１は、クロック信号の干渉に起因する通信信号の受信レベルの悪化を、回避することができる。
【００３０】
また本実施形態の通信装置１において、上述したように、クロック周波数変更後に、通信信号の受信レベルが第１基準レベルＬＡ以下のレベルから第３基準レベルＬＣを超過するレベルまで回復した時点で、非干渉周波数Ｆ１から初期周波数Ｆ０に、クロック周波数が戻される。この結果、本実施形態の通信装置１は、通信信号の受信レベルが充分に回復したならば、非干渉周波数Ｆ１から初期周波数Ｆ０に、クロック周波数を速やかに戻すことができる。ゆえに、本実施形態の通信装置１は、クロック信号の干渉に起因する通信信号の受信レベルの悪化を回避しつつ、クロック周波数の変更に起因する処理回路４の機能低下時間を最低限の時間に抑えることができる。
【００３１】
また本実施形態の通信装置１において、上述したように、クロック周波数変更後に、通信信号の受信レベルが第１基準レベルＬＡ以下のレベルから第２基準レベルＬＢ以下のレベルまでさらに低下した時点にも、非干渉周波数Ｆ１から初期周波数Ｆ０に、クロック周波数が戻される。この結果、本実施形態の通信装置１は、クロック周波数を変更しても通信信号の受信レベルの回復が難しい状況下では、機能低下の要因となる恐れのある非干渉周波数Ｆ１から機能低下が予想されない初期周波数Ｆ０に、クロック周波数を速やかに戻すことができる。
【００３２】
すなわち、本実施形態の通信装置１において、通信信号の受信レベルの低下がクロック信号の干渉ではなく他の外的要因に起因する状況下では、受信レベルが改善しなくてもクロック周波数を初期周波数Ｆ０に戻すことで、クロック周波数の変更に起因する処理回路４の機能低下時間を最低限の時間に抑えることができる。たとえば、通信装置１がトンネルや地下などに持込まれた状況など、通信装置１の環境変化に基づく受信環境の悪化に起因して通信信号の受信レベルが低下する状況下では、クロック周波数を変更しても通信信号の受信レベルの改善は困難である。このような状況下では、受信レベルが改善しなくてもクロック周波数を初期周波数Ｆ０に戻すことによって、本実施形態の通信装置１は、クロック周波数の変更に伴う処理回路４の不必要な性能低下を、防ぐことが可能となる。
【００３３】
以上の結果、本実施形態の通信装置１は、クロック信号の干渉に起因する通信信号の受信レベル低減時には、受信レベルを改善可能であり、かつ、クロック信号の干渉以外の理由に起因する通信信号の受信レベル低減時には、処理回路４の機能低減を最低限に抑えることができる。
【００３４】
また以上の結果、本実施形態の通信装置１は、クロック信号の干渉以外の理由に起因する通信信号の受信レベル低減時に処理回路４の機能低減を最低限に抑えることができるので、処理回路４の不必要な性能低下が防止される。したがって、本実施形態の通信装置１は、処理回路４の性能低下に伴う消費電力の増加をも防止することが可能となる。
【００３５】
また本実施形態の通信装置１において、好ましくは、処理回路４が動作中である場合、クロック信号生成部３におけるクロック周波数の変更が中止される。すなわち、本実施形態の通信装置１において、クロック信号の干渉に起因する受信レベルの低減を改善することよりも、処理回路４が現在実行している処理が優先される。
【００３６】
たとえば、受信部５が、地上デジタル放送における放送信号の１セグメント（略称「ワンセグ」）用の通信信号を受信中に、処理回路４がバックグラウンドで記録媒体へのデータの書込みを実行している状況下では、受信レベルの変化に伴うクロック周波数の変更を行わない。この結果、ワンセグ放送の映像は乱れたままになるが、記録媒体へのデータの書込みは通常通り継続される。
【００３７】
これによって、本実施形態の通信装置１は、無線通信および処理回路４による動作について、より細かい制御が可能になる。
【００３８】
さらにまた本実施形態の通信装置１において、通信装置１が複数の処理回路４を有する場合、処理回路４の構成や動作状態に応じて、各処理回路４用のクロック信号の通信信号の受信レベルへの干渉状態が異なる。たとえば、複数の処理回路４にそれぞれ与えられるクロック信号のクロック周波数が、処理回路４毎に異なる。このため、本実施形態の通信装置１において、好ましくは、初期周波数Ｆ０のクロック信号の生成中であって最新の受信レベルが第１基準レベルＬＡ以下である場合、制御部７が、複数の各処理回路４毎に、初期周波数Ｆ０から通信信号と干渉しない非干渉周波数Ｆ１であってかつ各処理回路４に応じた非干渉周波数に、各処理回路４に与えられるクロック信号のクロック周波数をそれぞれ変更させる。
【００３９】
すなわち、本実施形態の通信装置１は、通信信号の受信レベル低減時に、複数の各処理回路４用のクロック信号のクロック周波数が、通信信号と干渉しない非干渉周波数Ｆ１であってかつ各処理回路４に応じた非干渉周波数に、個別に変更される。この結果、本実施形態の通信装置１において、クロック信号に起因する通信信号への干渉をそれぞれ回避可能な適切な周波数の各処理回路４用のクロック信号が、各処理回路４にそれぞれ与えられる。たとえば、全ての処理回路４用のクロック信号のうち、通信信号を干渉する少なくとも一部の処理回路用のクロック信号のクロック周波数だけが、初期周波数Ｆ０と異なる非干渉周波数Ｆ１に変更され、残余の処理回路用のクロック信号のクロック周波数が初期周波数Ｆ０に保たれても良い。
【００４０】
これによって、本実施形態の通信装置１は、受信レベルの低減が複数の各処理回路４用のクロック信号のうちの少なくとも１つのクロック信号の干渉に起因するならば、各処理回路４の機能低減を最低限に限定しつつ、受信レベルをより確実に改善することができる。またこれによって、本実施形態の通信装置１は、複数の処理回路４に単一のクロック信号を一括して与える場合よりも、本実施形態のように各処理回路４毎に適したクロック信号を与える場合のほうが、各処理回路４の機能低減を最低限に限定しつつ、受信レベルをより確実に改善することができる。
【００４１】
また本実施形態の通信装置１において、好ましくは、受信部５が、予め定める複数チャンネルの通信信号を選択的に受信可能である。詳しくは、受信部５は、複数のチャンネルのうちのいずれか１チャンネルを選局して、選局されたチャンネルの通信信号を受信する。複数のチャンネルが選択的に受信可能である構成では、クロック信号による通信信号のへの干渉状態が、各チャンネルの通信信号毎に異なる。
【００４２】
複数チャンネルが選択的に受信可能である構成において、好ましくは、制御部７は、初期周波数Ｆ０のクロック信号の生成中であって選局されたチャンネルの通信信号の最新の受信レベルが第１基準レベルＬＡ以下である場合、初期周波数Ｆ０から通信信号と干渉しない非干渉周波数Ｆ１であって前記選局されたチャンネルの周波数に応じた非干渉周波数に、クロック信号生成部３が生成するクロック周波数を変更させる。
【００４３】
すなわち、本実施形態の通信装置１は、複数チャンネルが選択的に受信可能である構成において、通信信号の受信レベルの低減時に、現在選局中のチャンネルの通信信号と干渉しない非干渉周波数Ｆ１に、クロック周波数を変更する。この結果、クロック信号の干渉に起因して受信レベルが低減する状況下において、本実施形態の通信装置１は、複数の各チャンネルの通信信号へのクロック信号の干渉をより確実に解消して、各チャンネルの通信信号の受信レベルをより確実に改善することができる。これによって、本実施形態の通信装置１は、クロック信号の干渉に起因する通信信号の受信レベルを、チャンネル毎に、より確実に改善することができる。
【００４４】
再び図１を参照して、本実施形態の通信装置１の詳細な構成を以下に説明する。
本実施形態の通信装置１は、携帯電話端末機やスマートフォンのような、無線通信機能を有する通信装置で実現される。本実施形態の通信装置１において、受信部５が受信する通信信号は、たとえば、テレビ放送およびラジオ放送に代表される１対多の通信のための放送信号、ならびにデータ通信および電話通信に代表される１対１の通信のための通信信号の両方を含む。
【００４５】
受信レベル測定部６は、具体的には、受信された通信信号の受信強度を測定する。通信信号の受信レベルが高いほど、通信信号の受信状態が良いと判断される。第２基準レベルＬＢよりも第１基準レベルＬＡが大きく、第１基準レベルＬＡよりも第３基準レベルＬＣが大きい。第１基準レベルＬＡ〜第３基準レベルＬＣは、記憶部８に予め記憶されている。
【００４６】
通信信号の受信レベルが第３基準レベルＬＣを超過するレベルならば、該通信信号の受信状態が最適正の状態である。また、通信信号の受信レベルが第１基準レベルＬＡを超過し、かつ第３基準レベルＬＣ以下の範囲内にあるならば、該通信信号の受信状態が適正の状態である。さらにまた、通信信号の受信レベルが第２基準レベルＬＢ超過でありかつ第１基準レベルＬＡ以下の範囲内にあるならば、該通信信号の受信状態が不適正の状態である。また、通信信号の受信レベルが第２基準レベルＬＢ以下であるならば、該通信信号の受信状態が最不適正の状態である。
【００４７】
本実施形態の通信装置１において、第１基準レベルＬＡは、具体的には、放送信号の受信によって放送の視聴が可能な下限の受信レベル、および通信信号の受信によってデータの授受が可能な下限の受信レベルに相当する。また第２基準レベルＬＢは、具体的には、第１基準レベルＬＡ未満の値であり、かつ、受信環境の更なる悪化に起因してクロック周波数変更による受信レベルの改善を諦めるべきと判断される受信レベルに相当する。さらにまた第３基準レベルＬＣは、具体的には、第１基準レベルＬＡを超過する値であり、かつ、通信装置１における通信信号の受信レベルが第１基準レベルＬＡよりも充分に改善したと判断される受信レベルに相当する。
【００４８】
本実施形態の通信装置１において、初期周波数Ｆ０は、各種の処理回路４が最大限に能力を発揮することが可能なクロック周波数である。非干渉周波数Ｆ１は、より好ましくは、複数の各チャンネルの通信信号の周波数が複数の各処理回路４用のクロック信号とそれぞれ干渉しないように、定められる。このために、非干渉周波数Ｆ１は、複数のチャンネルおよび複数の処理回路４の組合せに応じて、個別に予め定められている。具体的には、本実施形態の通信装置１は、表１に示すようなクロックテーブルを、記憶部８に記憶している。
【００４９】
【表１】
2014045279.tif 000003
【００５０】
記憶部８は、制御部７の制御に係る各種のデータおよびプログラムを記憶している。記憶部８は、読出し専用のリードオンリメモリ（Read Only Memory：ＲＯＭ）と任意に読書き可能なランダムアクセスメモリ（Random Access Memory：ＲＡＭ）とを含む。ＲＯＭは、前述したクロックテーブル、第１基準レベルＬＡ〜第３基準レベルＬＣ、および制御部７が実行すべきプログラムが記憶される。ＲＡＭには、クロック周波数の変更状態を示すクロック変更フラグ、受信部５が現在選局中のチャンネル、および通信信号の最新の受信レベルが記憶される。
【００５１】
クロック変更フラグは、クロック信号のクロック周波数が初期周波数Ｆ０から変更済であるか否かを示す。クロック変更フラグがＯＦＦである場合、クロック周波数が初期周波数Ｆ０に戻されており、クロック変更フラグがＯＮである場合、クロック周波数が非干渉周波数Ｆ１に変更されていることを示す。
【００５２】
図２は、本実施形態の通信装置１におけるクロック信号のクロック周波数の変換パターンを説明するためのタイミングチャートである。図２のタイミングチャートにおいて、縦軸は通信信号の受信レベルを示し、横軸は経過時間を示す。
【００５３】
図２（Ａ）は、クロック周波数の復帰動作のない従来技術の通信装置１におけるクロック周波数の変更パターンを示す。通信信号の受信開始後、通信信号の受信レベルが第１基準レベルＬＡ以上のレベルから第１基準レベルＬＡ未満のレベルへ変化した時点ＴＡにおいて、クロック周波数が初期周波数Ｆ０から非干渉周波数Ｆ１へ変更される。通信信号の受信レベルが第１基準レベルＬＡ以下のままであれば、クロック周波数も非干渉周波数Ｆ１のまま保たれる。
【００５４】
図２（Ｂ）は、クロック信号による通信信号への干渉に起因して受信レベルが悪化した状況下において、本実施形態の通信装置１におけるクロック周波数の変更パターンを示す。通信信号の受信開始後、通信信号の受信レベルが第１基準レベルＬＡ以上のレベルから第１基準レベルＬＡ未満のレベルへ変化した時点ＴＡにおいて、初期周波数Ｆ０から表１に示すクロックテーブル内で現在選局中のチャンネルに対応する各処理回路４用の非干渉周波数Ｆ１へ、クロック周波数が変更される。
【００５５】
現在選局中のチャンネルの通信信号と各処理回路４用のクロック信号との干渉を回避するように非干渉周波数Ｆ１が設定されているため、クロック周波数を非干渉周波数Ｆ１へ変更することによって、通信信号の受信レベルの改善が期待される。クロック周波数変更後、通信信号の受信レベルが第１基準レベルＬＡ以下のレベルから第３基準レベルＬＣを超過するレベルに変化した時点ＴＣにおいて、受信レベルが充分に改善したと判断される。この場合、クロック周波数が非干渉周波数Ｆ１から初期周波数Ｆ０へ戻される。これによって、クロック信号による通信信号への干渉に起因する受信レベルの悪化が解消される。
【００５６】
図２（Ｃ）は、通信環境の悪化に起因して受信レベルが悪化した状況下において、本実施形態の通信装置１におけるクロック周波数の変更パターンを示す。通信信号の受信開始後、通信信号の受信レベルが第１基準レベルＬＡ以上のレベルから第１基準レベルＬＡ未満のレベルへ変化した時点ＴＡにおいて、図２（Ｂ）と同様に、初期周波数Ｆ０から表１に示すクロックテーブル内で現在選局中のチャンネルに対応する各処理回路４用の非干渉周波数Ｆ１へ、クロック周波数が変更される。
【００５７】
クロック周波数変更後、通信信号の受信レベルが第１基準レベルＬＡ以下のレベルから第２基準レベルＬＢ以下のレベルへさらに変化した時点ＴＢにおいて、受信レベルがさらに悪化したと判断される。これは、クロック周波数変更によってクロック信号による通信信号への干渉が防止されているにも拘らず実際の受信レベルが改善しないので、クロック周波数変更による受信レベルの改善が見込めないと考えられる。この場合、クロック周波数が非干渉周波数Ｆ１から初期周波数Ｆ０へ戻される。これによって、本実施形態の通信装置１は、トンネルや地下など、通信装置１の環境変化に起因する受信レベルの悪化による不必要な各種処理回路４の性能低下を最小限に抑えることができる。また、本実施形態の通信装置１は、処理回路４の性能低下を最小限に抑えることによって、性能低下に伴う消費電力の増加を防ぐことが可能になる。
【００５８】
図３は、本実施形態の通信装置１の制御部７におけるクロック信号の詳細な制御手法を説明するためのフローチャートである。
【００５９】
通信装置１の起動後、受信部５が通信信号を受信している状況下において、ステップＳ０からステップＳ１に進む。
【００６０】
ステップＳ１において、クロック変更フラグが、クロック周波数が初期周波数Ｆ０である状態を示すＯＦＦに初期化される。
【００６１】
ステップＳ２において、受信部５が現在受信している通信信号のチャンネルがどれであるかが、記憶部８に保存される。ステップＳ３において、受信部５が現在受信中の通信信号の受信レベルが受信レベル測定部６によって測定され、測定された受信レベルが記憶部８に記憶される。
【００６２】
ステップＳ４において、制御部７が、クロック変更フラグの現在の値を確認する。クロック変更フラグの現在の値がＯＦＦである場合、すなわち現在のクロック周波数が初期周波数Ｆ０である場合、ステップＳ４からステップＳ５に進む。また、クロック変更フラグの現在の値がＯＮである場合、すなわち現在のクロック周波数が非干渉周波数Ｆ１である場合、後述するように、ステップＳ４からステップＳ９に進む。
【００６３】
ステップＳ５〜ステップＳ８は、現在のクロック周波数が初期周波数Ｆ０である状況下で実行される処理である。
【００６４】
ステップＳ５において、制御部７が、記憶部８に記憶される最新の受信レベルと所定の第１基準レベルＬＡとを比較する。最新の受信レベルが第１基準レベルＬＡを超過する場合、通信信号の最新の受信レベルが実用に足る程度に充分高いため、クロック周波数を変更する必要がない。この場合、ステップＳ５からステップＳ２に戻り、以後ステップＳ２〜ステップＳ１１の処理を選択的に繰返す。またステップＳ５において、最新の受信レベルが第１基準レベルＬＡ以下である場合、通信信号の最新の受信レベルが実用に足るレベルよりも低いため、ステップＳ５からステップＳ６に進む。
【００６５】
ステップＳ６において、制御部７が、記憶部８に記憶される最新の受信レベルと所定の第２基準レベルＬＢとを比較する。最新の受信レベルが第２基準レベルＬＢ以下である場合、通信信号の最新の受信レベルが実用に足るレベルよりも低いけれども、クロック周波数を変更しても実用に足るレベルまで受信レベルが改善する見込みがないと考えられるため、クロック周波数の変更を行わない。この場合、ステップＳ６からステップＳ２に戻り、以後ステップＳ２〜ステップＳ１１の処理を選択的に繰返す。またステップＳ６において、最新の受信レベルが第２基準レベルＬＢを超過する場合、通信信号の最新の受信レベルが実用に足るレベルよりも低く、かつ、クロック周波数の変更によって実用に足るレベルまで受信レベルが改善する可能性があると予想される。この場合、ステップＳ６からステップＳ７に進む。
【００６６】
ステップＳ７において、制御部７が、各処理回路４に以後与えられるクロック信号のクロック周波数が所定の非干渉周波数Ｆ１となるように、クロック信号生成部３を制御する。具体的には、現在受信中のチャンネルに対応する各処理回路４用の非干渉周波数Ｆ１がクロックテーブルから検索され、検索された各処理回路４用の非干渉周波数Ｆ１をクロック周波数とするクロック信号をクロック信号生成部３が生成し、生成された各処理回路４用のクロック信号が各処理回路４に与えられる。この結果、クロック周波数が初期周波数Ｆ０から非干渉周波数Ｆ１に変更されるので、クロック信号による通信信号への干渉に起因する受信レベルの改善が見込まれる。
【００６７】
ステップＳ８において、クロック変更フラグが、クロック周波数が非干渉周波数Ｆ１である状態を示すＯＮに初期化される。クロック変更フラグの変更後、ステップＳ８からステップＳ２に戻り、以後ステップＳ２〜ステップＳ１１の処理を選択的に繰返す。
【００６８】
ステップＳ９〜ステップＳ１１は、現在のクロック周波数が非干渉周波数Ｆ１である状況下で実行される処理である。前述したステップＳ４において、クロック変更フラグの現在の値がＯＮである場合、ステップＳ４からステップＳ９に進む。
【００６９】
ステップＳ９において、制御部７が、記憶部８に記憶される最新の受信レベルと所定の第２基準レベルＬＢとを比較する。最新の受信レベルが第２基準レベルＬＢ以下である場合、クロック周波数が以後も非干渉周波数Ｆ１のままであっても実用に足るレベルまで受信レベルが改善する見込みがないため、クロック周波数を復帰すべきと考えらえる。この場合、ステップＳ９からステップＳ１１に進む。またステップＳ６において、最新の受信レベルが第２基準レベルＬＢを超過する場合、ステップＳ９からステップＳ１０に進む。
【００７０】
ステップＳ１０において、制御部７が、記憶部８に記憶される最新の受信レベルと所定の第３基準レベルＬＣとを比較する。クロック周波数が非干渉周波数Ｆ１である状況下で最新の受信レベルが第３基準レベルＬＣを超過する場合、クロック信号による通信信号への干渉の改善または受信環境の改善によって、通信信号の最新の受信レベルが実用に足る程度に充分に復帰したと考えられる。この場合、ステップＳ１０からステップＳ１１に進む。
【００７１】
またステップＳ１０において、最新の受信レベルが第３基準レベルＬＣ以下である場合、ステップＳ１０からステップＳ２に戻り、以後ステップＳ２〜ステップＳ１１の処理を選択的に繰返す。上記の場合、詳しくは、クロック周波数が非干渉周波数Ｆ１でありながら、最新の受信レベルは第２基準レベルＬＢを超過しかつ第３基準レベルＬＣ以下の範囲内にあると想定される。この場合、クロック信号による通信信号への干渉に起因する受信レベルの改善が途中だと考えられるので、クロック周波数が非干渉周波数Ｆ１のまま保たれる。
【００７２】
ステップＳ１１において、制御部７が、以後各処理回路４に与えられるクロック信号のクロック周波数が所定の初期周波数Ｆ０となるように、クロック信号生成部３を制御する。具体的には、各処理回路４用の初期周波数Ｆ０がクロックテーブルから検索され、検索された各処理回路４用の初期周波数Ｆ０をクロック周波数とするクロック信号をクロック信号生成部３が生成し、生成された各処理回路４用のクロック信号が各処理回路４に与えられる。この結果、クロック周波数が非干渉周波数Ｆ１から初期周波数Ｆ０に戻される。これによって、クロック周波数変更による受信レベルの改善が見込まれない状況下およびクロック周波数変更によって受信レベルが充分に改善された状況以下では、非干渉周波数Ｆ１から初期周波数Ｆ０にクロック周波数が速やかに戻される。クロック周波数復帰後、ステップＳ１１からステップＳ１に戻り、クロック信号変更フラグがＯＮからＯＦＦに初期化される。以後ステップＳ２〜ステップＳ１１の処理が選択的に繰返される。
【００７３】
以上の手順によって、本実施形態の通信装置１において、受信レベル悪化時にはクロック周波数が非干渉周波数Ｆ１に変更され、かつ、クロック周波数変更による受信レベルの改善が見込まれない状況下およびクロック周波数変更による受信レベルの充分な改善後、クロック周波数が初期周波数Ｆ０に速やかに復帰される。
【００７４】
すなわち、受信レベル悪化の理由に拘らず、受信レベルの悪化時には、ステップＳ１〜ステップＳ４、ステップＳ５〜ステップＳ８の流れでクロック周波数が非干渉周波数Ｆ１に変更される。クロック周波数変更後、受信レベルの悪化がクロック信号の干渉に起因するならば、ステップＳ２〜ステップＳ４、ステップＳ９、ステップＳ１０、ステップＳ１１、ステップＳ１の流れで、受信レベルの回復に応答して、クロック周波数が初期周波数Ｆ０に復帰される。受信レベルの悪化がクロック信号の干渉以外の原因に起因するならば、ステップＳ２〜ステップＳ４、ステップＳ９、ステップＳ１１、ステップＳ１の流れで、クロック周波数の変更に起因する受信レベルの回復を待たず、クロック周波数が初期周波数Ｆ０に復帰される。
【００７５】
これによって、本実施形態の通信装置１は、クロック信号に起因する通信信号の受信レベルの悪化を速やかに改善し、かつ、クロック周波数変更による処理回路４の能力低下を最小限に抑えることができる。
【００７６】
また図３の処理において、処理回路４の動作中にクロック周波数の変更が中止される構成を追加するには、たとえば、処理回路４が動作中であるか否かを判断する判断ステップがステップＳ２〜ステップＳ４のうちのいずれかのステップの前段に追加されて、処理回路４が動作中であるならば前記判断ステップからステップＳ１とステップＳ２との間に戻り、処理回路４が停止中であるならば前記判断ステップからステップＳ２〜ステップＳ４のうちの前記いずれかのステップに進む。または、前述の判断ステップがステップＳ７およびステップＳ１１の前段にそれぞれ追加され、処理回路４が動作中であるならば前記判断ステップからステップＳ１とステップＳ２との間に戻り、処理回路４が停止中であるならば前記判断ステップからステップＳ７、ステップＳ１１に進む。これによって、処理回路４が動作中にクロック周波数の変更が停止される。
【００７７】
本実施形態の通信装置１は、本発明の通信装置１の最良の実施形態の１つである。本実施形態の通信装置１の構成要素の詳細構成は、上述の作用効果が発揮可能な構成であれば、上述した構成に限らず、他の様々な構成が用いられても良い。
【符号の説明】
【００７８】
１  通信装置
２  バスライン
３  クロック信号生成部
４  処理回路
５  受信部
６  受信レベル測定部
７  制御部
８  記憶部
ＬＡ  通信信号の受信レベルの第１基準レベル
ＬＢ  通信信号の受信レベルの第２基準レベル
ＬＣ  通信信号の受信レベルの第３基準レベル
Ｆ０  クロック周波数の初期周波数
Ｆ１  クロック周波数の非干渉周波数
【図１】
2014045279.tif 000004
【図２】
2014045279.tif 000005
【図３】
2014045279.tif 000006